(57)【特許請求の範囲】
【請求項１】
ボルトの軸部に螺合させるナットと、このナットに係合させてこれを回転操作するための締め付け具とを具備し、
前記ナットは、ボルトを挿通させる環状の基部と、この基部から軸線に沿って立ち上がる突出筒部と、この突出筒部に内側環状間隙を形成してこれを囲むように設けられるリテーナ環と、このリテーナ環の外周に外側環状間隙を形成してこれを囲むように設けられるリングヘッドと、前記突出筒部とリングヘッドとの間にあってリテーナ環に保持される複数のボールと、を具備し、
前記突出筒部は、前記基部のボルト挿通孔の周縁から軸線方向上方へ突出して上方に開放する円筒状をなし、
前記リテーナ環は、前記基部の周縁から軸線方向上方へ突出して上方に開放する円筒状をなし、円周方向に相互間隔を置いて形成される複数のボール保持孔を有し、
前記リングヘッドは、上方へ開放するほぼ円筒状をなし、下部において前記基部の外周に、軸周り相対回転自在に結合され、
前記ボールは、前記リテーナ環のボール保持孔内に、前記突出筒部と前記リングヘッドとの間で、半径方向に移動自在に嵌め込まれ、
前記締め付け具は、ハンドルを備える主軸部と、この主軸部の下端側にこれと同心に下方に開放するように設けられ前記ナットの外側環状間隙に挿入可能な挿入筒部と、この挿入筒部の内周に環状受入間隙を形成してこれと同心に設けられる係合筒部と、を具備し、
前記挿入筒部又は係合筒部の少なくとも一方は、前記ナットの外側環状間隙又は内側環状間隙へ挿入されたときに、前記ボールを他方側に移動させることができるように設けられ、
前記挿入筒部又は係合筒部の少なくとも一方には、前記ナットの外側環状間隙又は内側環状間隙へ挿入されたときに、前記ボールの一部を嵌合させる円弧状断面を持つ軸線方向の複数の係合溝を有することを特徴とする、ナット及びナット締め付け具。
【請求項２】
前記ナットのボルト挿通孔を除く上方開放部を閉塞するために、当該ナットに着脱自在に嵌合する弾性合成樹脂製のキャップをさらに具備することを特徴とする、請求項１に記載のナット及びナット締め付け具。
【発明の詳細な説明】
【技術分野】
【０００１】
この発明は、無権限者が容易に着脱操作することができないナットと、それの締め付け具に関する。
【背景技術】
【０００２】
従来、機械・装置等の組立時におけるボルト締結作業の自動化を図るためのボルト締結治具とボルトが各種提案されている。
例えば特許文献1には、ボルトの動力式ねじ締め機に装着し、ボルトの締め付け弛めを行う治具と、これに適合するボルトが開示されている。この締結治具は、内面にボールを、リング状保持バネにより常に迫り出すように保持し、そのバネ力によりボールを介してボルトを把持し、把持したまま自由に移動し得るようにしたものであり、ボルトの取り出し、搬送、ねじ込み作業を一連の動作にて行うことが可能である。また、ボルトは、ナットに、締結治具のボールと係合し得る窪み部を有するものである。
【先行技術文献】
【特許文献】
【０００３】
【特許文献１】特開平07-266156号公報
【発明の概要】
【発明が解決しようとする課題】
【０００４】
上記従来のボルト締結治具とボルトにおいては、ボルトが六角の頭部を有しているために、通常のスパナでも締め付け、弛めの操作を自由に行うことができる。したがって、これを無権限者による着脱操作を困難にする目的に適用することはできない。このようなボルト軸部に螺合するナットについても同様である。
この出願に係る発明は、無権限者による着脱操作を困難にするナットとそれの締め付け具を提供することを目的としている。
【課題を解決するための手段】
【０００５】
以下、添付図面の符号を参照して説明するが、本発明はこれに限定されるものではない。
上記課題を解決するため、この出願に係る発明のナット１は、ボルト３を挿通させる環状の基部４と、この基部４から軸線に沿って立ち上がる突出筒部５と、この突出筒部５の外周に内側環状間隙６を形成してこれを囲むように設けられるリテーナ環７と、このリテーナ環７の外周に外側環状間隙８を形成してこれを囲むように設けられるリングヘッド９と、突出筒部５とリングヘッド９との間にあってリテーナ環７に保持される複数のボール１０とを具備する。突出筒部５は、軸部４のボルト挿通孔の周縁から軸線方向上方へ突出して上方に開放するように設けられる。リテーナ環７は、軸部４の周縁から軸線方向上方へ突出して上方に開放する円筒状をなし、円周方向に相互間隔を置いて形成される複数のボール保持孔７ａを有する。リングヘッド９は、上方へ開放するほぼ円筒状をなし、下部において軸部４の外周に、軸周り相対回転自在に結合される。ボール１０は、リテーナ環７のボール保持孔７ａ内に、突出筒部５とリングヘッド９との間で、半径方向に移動自在に嵌め込まれる。
このナット１に係合させてナット１を回転操作するための締め付け具２は、ハンドル１４を備える主軸部１３と、この主軸部１３の下端側に、これと同心に下方に開放するように設けられる挿入筒部１５と係合筒部１６とを具備する。挿入筒部１５は、ナットの外側環状間隙に挿入可能である。係合筒部１６は、挿入筒部１５の内周に環状受入間隙１７を形成してこれと同心に設けられる。挿入筒部１５又は係合筒部１６の少なくとも一方は、ナット１の外側環状間隙８又は内側環状間隙６へ挿入されたときに、ボール１０を他方側に移動させることができるように設けられる。挿入筒部１５又は係合筒部１６の少なくとも一方は、ナット３の外側環状間隙８又は内側環状間隙６へ挿入されたときに、ボール１０の一部を嵌合させる円弧状断面を持つ軸線方向の複数の係合溝１６ａ又は１７ａを有する。
【発明の効果】
【０００６】
この出願に係る発明のナット及びその締め付け具は、両者の組み合わせ使用によらなければナットの着脱操作を行うことができず、したがって、無権限者によるナットの着脱操作を効果的に防止することができる。
【図面の簡単な説明】
【０００７】
【図１】本発明に係るナット及び締め付け具の斜視図である。
【図２】図１のナットの分解斜視図である。
【図３】図１のナットの平面図である。
【図４】図１のナットの縦断面図である。
【図５】（Ａ）は図１のナット締め付け具の平面図、（Ｂ）は同じく一部を切り欠いた側面図、（Ｃ）は同じく底面図である。
【図６】図１のナットとナット締め付け具の使用状態の断面図である。
【図７】図１のナットにキャップを装着した状態の断面図である。
【発明を実施するための形態】
【０００８】
図面を参照してこの発明の実施の形態を説明する。この発明の実施の一形態に係るナット１と、これを回転操作するための締め付け具２を図１に示す。ナット１は、ボルト３の頭部３ａから上方へ延出する軸部３ｂに上方から螺合するものである。締め付け具２は、下端部をナット１に係合させて回転操作することができる。
【０００９】
図２ないし図４に示すように、ナット１は、ボルト挿通孔が形成された環状の基部４とこれから軸線に沿って上方へ突出する円筒状の突出筒部５と、この突出筒部５の外周に内側環状間隙６を形成してこれを囲むように設けられるリテーナ環７と、このリテーナ環７の外周に外側環状間隙８を形成してこれを囲むように設けられるリングヘッド９と、突出筒部５とリングヘッドとの間にあってリテーナ環に保持される複数のボール１０と、を具備する。
【００１０】
基部４には、ボルト挿通孔の周縁から軸線方向上方へ立ち上がりボルト挿通孔を延長する突出筒部５が設けられる。
【００１１】
リテーナ環７は、基部４の周縁付近から軸線方向上方へ突出して上方に開放する円筒状をなす。リテーナ環７には、円周方向に相互間隔を置いて複数のボール保持孔７ａが形成される。
【００１２】
リングヘッド９は、上方へ開放するほぼ円筒状をなし、下部においてばねリング１２を介して、基部４の外周に、軸周り相対回転自在に結合される。基部４の外周及びリングヘッド９の下端部内周には、対向位置に受け溝４ａ、９ａが形成され、この溝内にばねリング１２が嵌め込まれ、リングヘッド９は、軸方向に抜け止めされる。
【００１３】
ボール１０は、リテーナ環７のボール保持孔７ａ内に挿入され、突出筒部５とリングヘッド９との間で、半径方向に移動自在である。
【００１４】
図５に示すように、締め付け具２は、円柱状の主軸部１３の上部に直交方向に延出するハンドル１４を備える。主軸部１３の下端側には、これと同心で、下方に開放するように、挿入筒部１５と係合筒部１６とが形成される。挿入筒部１５は、ナット３の外側環状間隙８に挿入可能である。挿入筒部１５の内周と係合筒部１６の外周との間には、環状受入間隙１７が形成される。
【００１５】
挿入筒部１５は、ナット１の外側環状間隙８へ挿入されたときに、ボール１０の一部を嵌合させる円弧状断面を持つ軸線方向の複数の係合溝１５ａを内周に有する。
【００１６】
係合筒部１６は、挿入筒部１５と同じく下方へ延出しており、挿入筒部１５がナット１の内側環状間隙６へ挿入されたときに、挿入筒部１５の係合溝１５ａに対向してボール１０の一部を嵌合させる円弧状断面を持つ軸線方向の複数の係合溝１６ａを外周に有する。
【００１７】
図７に示すように、ボルト挿通孔を除いてナット１の上方開放部を閉塞するために、当該ナット１の上部に対応形状により着脱自在に嵌合する弾性合成樹脂製のキャップ１８が設けられる。所要箇所にナット１を締め付けた後、ナット１に防塵用のキャップ１８が装着される。
【００１８】
ナット１は、締め付け具２を用いて所要箇所のボルト３に締め付けられる。挿入筒部１５の係合溝１５ａ及び係合筒部１６の係合溝１６ａをボール１０の位置に合わせて、挿入筒部１５をナット３の外側環状間隙８へ、係合筒部１６を内側環状間隙６へ挿入すると、図６に示すように、ボール１０が挿入筒部１５と係合筒部１６との間でボール保持孔７ａ内に固定され、これによりナット１と締め付け具２とが係合する。この状態で、締め付け具２によるナット１の締め付け操作が可能となる。一旦締め付けられたナット１は、締め付け具２を用いなければ弛めることができない。
【符号の説明】
【００１９】
１    ナット
２    締め付け具
３    ボルト
４    軸部
５    突出筒部
６    内側環状間隙
７    リテーナ環
７ａ  ボール保持孔
８    外側環状間隙
９    リングヘッド
９ａ  受け溝
１０  ボール
１１  外側フランジ
１１ａ  受け溝
１２  ばねリング
１３  主軸部
１４  ハンドル
１５  挿入筒部
１５ａ  係合溝
１６  係合筒部
１６ａ  係合溝
１７  環状受入間隙
１８  キャップ
【図１】
0005255688.tif 000002
【図２】
0005255688.tif 000003
【図３】
0005255688.tif 000004
【図４】
0005255688.tif 000005
【図５】
0005255688.tif 000006
【図６】
0005255688.tif 000007
【図７】
0005255688.tif 000008